Podtech/llm-jp-corpus-v4-ja_patent huggingface dataset:
(57)【要約】【課題】黒ニンニクその他高付加価値を有する発酵食品の製造において、より効率的、高品質な発酵熟成技術を提供する【解決手段】ニンニクその他野菜類の表面に予め粉砕備長炭のような粉末炭を付着させ、これを温度６３℃〜７５℃、湿度９５％以上の環境下におく。とりわけ、野菜類をバナナの葉で包んでその上から粉末炭を付着させる。【特許請求の範囲】
【請求項１】
野菜類の表面に粉末炭を付着させ、これを温度６３℃〜７５℃、湿度９５％以上の環境下におくことを特徴とする野菜類の発酵熟成方法。
【請求項２】
野菜類が、ニンニクである請求項１記載の野菜類の発酵熟成方法。
【請求項３】
粉末炭が、ウバメガシ又はこれに類する木材を炭化させた備長炭の粉末である請求項１、請求項２記載の野菜類の発酵熟成方法。
【請求項４】
野菜類が、バナナの葉で包まれた野菜類である請求項１、請求項２、請求項３記載の野菜類の発酵熟成方法。
【発明の詳細な説明】
【技術分野】
【０００１】この発明は、野菜類をより短期間で高度に発酵熟成させる方法に関する。
【背景技術】
【０００２】いわゆる発酵は、悪玉菌による腐敗と異なり、善玉菌優勢の環境において微生物の代謝活動により野菜等の成分が新たに分解・合成されることにより、人間にとってより有用な食品にすることができるものであり、従って古来より、漬物、味噌、納豆、チーズなど、夥しい発酵食品が作られてきた。【０００３】最近では発酵食品に多く含まれる健康上有用な成分が続々発見されていることもあり、そのニーズの高まりから、発酵をできるだけ効率よくさせて生産性と品質の向上をはかる工夫・努力が各種なされている。
【発明の概要】
【発明が解決しようとする課題】
【０００４】しかしながら現状では、例えば最近注目されている発酵黒ニンニクを温度７５℃〜１００℃、湿度５０％〜１００％の環境内において、約３０日かけて発酵熟成させる必要がある。伝統的な味噌や漬物の製造はともかく、新規な高付加価値の発酵食品の製造においては、より効率的、高品質な発酵熟成技術が求められていた。本発明はかかる発酵熟成技術を提供することを課題とする。
【課題を解決するための手段】
【０００５】先ず野菜類の表面に粉末炭を付着させ、これを温度６３℃〜７５℃、湿度９５％以上の環境下におくものとする。【０００６】ここでいう野菜類とは、基本的に発酵製品化させ得るもので、製造過程において粉末炭でまぶすことが可能なものをいう。したがってある程度固形状を保つものであるから、トマトは無理だがキュウリは可能で、リンゴ、柿、梨などの果物も本発明では均等とみなす。【０００７】特に好結果の得られるのはニンニクである。とりわけ独特の発酵熟成技術で得られる「黒ニンニク」は、ほとんど無臭化しているにもかかわらず有効成分が豊富で美味であることから、近時注目されているものであるが、その発酵熟成に３０日かかっていたものを、本発明では半分の１５日で済み、しかも生ニンニクを予め乾燥させる必要がなく、旨みも一層向上することが判明した。【０００８】使用する粉末炭は、特にウバメガシ（樫の一種）から得られる備長炭から成るものが良い。これは甚だ硬度が高く非親水性なので、微粉化して付着させても、工程終了後に除去させ易いからである。また遠赤外線輻射性能にも優れている。【０００９】なお、野菜類を予めバナナの葉で包んでから、これを粉末炭でまぶして同様に行うと、野菜のもつ自然な甘みが際立つなど、さらに好ましい結果が得られることも判明した。これは野菜固有の微生物や酵素がバナナの葉に生息するテンペ菌と相性が良く、協調して発酵を促進させるためと考えられる。
【発明の効果】
【００１０】本発明によれば、野菜類の外側全体を粉末炭で覆うことにより、発酵微生物にとって有害な外光を遮断するとともに、内部からの発酵熱を生育光線とも言われる遠赤外線で再輻射して理想的な発酵環境を作り出すことができる。従って野菜類固有の微生物が死滅する７５℃以上にしなくてもよく、より美味で有効成分豊富な発酵野菜類を工期短縮で得られる効果がある。
【発明を実施するための形態】
【００１１】高さ約２ｍ、広さ１０〜１５ｍ２程度の密閉状養生室内の温度を６８〜７０℃、湿度を１００％に保つよう制御可能状にし、その室内に複数設置された棚上に、中国雲南省に産生する一片種ニンニクの表面に粒径２０〜２００μｍ程度のウバメガシ由来備長炭粉末をまんべんなく付着させたものを載置し、その室内環境を保ちつつ約１５日間放置した。その結果、通常は要する先乾燥工程も不要で、３０日間を要していた発酵黒ニンニクの熟成を、そのわずか半分の期間で同等以上に達成することができた。
【００１２】白菜、キュウリ、ナス、リンゴ、ナシ等の短片をバナナの葉で包み、その表面に上記同様に炭粉末を付着させ、同様の環境条件でほぼ同期間、放置して発酵熟成させたところ、これら野菜類のもつ自然な甘みが際立つようになった。消化率や有効成分は明らかに増加し、残留農薬の無害化もあり得ると思われるが、これらの厳密な測定、検証はこれからの課題である。
【産業上の利用可能性】
【００１３】最近の健康志向の高まりからも、古来からの発酵食品の長所が見直されてきており、今後ますますこのような高付加価値発酵食品のニーズが高まると考えられ、これをより効率的に、高品質に生産することができる本発明の利用可能性は甚だ大きいと言える。
(57)【要約】【課題】  室内で、ペットを飼っていたり、小さな子供がいるのでスプレーの使用を控えたい。殺生の為に、新聞紙などの物を見つけるのは面倒くささがある。ゴキブリを捨てる時、ティッシュで包むにしても手を使いたくない。  室内に突然現れたゴキブリを、周囲や手を汚さずに、簡単に捕獲し始末するためのゴキブリ捕獲器を提供する。【解決手段】  柄の先に付いた円筒体の上部にお湯注入排出口があり、底部に中心から外周縁へ放射状にスリットが設けてあり、各スリット片は、中心部の先端に向かって、なだらかな円弧状に膨らみ、スリット状の集合体として略球面状に形成された捕獲部を成し、捕獲部の外からかぶせる捕獲部フタが備わるゴキブリ捕獲器。【選択図】図１
2018000178.tif 000002
【特許請求の範囲】
【請求項１】
円筒状の胴体と胴体の側壁面から横に伸びる持ち手から成るゴキブリ捕獲器であるが、
胴体を立て置いた時に、側壁において持ち手部根元を含む周回域を除いて、上部域と下部域が蛇腹状に形成されており、
天井面は多数の小孔を設けたお湯注入排出口を成し、
底面は中心から外周縁へ放射状にスリットが設けており、
各スリット片は、中心部の先端に向かって、なだらかな円弧状に膨らみ、スリット状の集合体として略球面状に形成された捕獲部を成し、
捕獲部の外からかぶせる捕獲部フタが備えてあることを特徴とするゴキブリ捕獲器。
【発明の詳細な説明】
【技術分野】
【０００１】  本発明は、ゴキブリ捕獲に関するものである。
【背景技術】
【０００２】  従来、家の中に突然あらわれたゴキブリは、スプレーや新聞紙などで対処し、その死骸は手で捨てざるを得なかった。
【発明の概要】
【発明が解決しようとする課題】
【０００４】  室内で、ペットを飼っていたり、小さな子供がいるのでスプレーの使用を控えたい。
殺生の為に、新聞紙などの物を見つけるのには面倒くささがある。
ゴキブリを捨てる時、ティッシュで包むにしても手を使いたくない。
本発明は、以上の問題点を解決するものである。
【課題を解決するための手段】
【０００５】  円筒状の胴体と胴体の側壁面から横に伸びる持ち手から成るゴキブリ捕獲器である。
胴体を立て置いた時に、側壁において持ち手部根元を含む周回域を除いて、上部域と下部域が蛇腹状に形成されており、天井面は多数の小孔を設けたお湯注入排出口を成す。
底面は中心から外周縁へ放射状にスリットが設けており、各スリット片は中心部の先端に向かって、なだらかな円弧状に膨らみ、スリット状の集合体として略球面状に形成された捕獲部を成し、捕獲部の外からかぶせる捕獲部フタが備わる。
以上を特徴とするゴキブリ捕獲器である。
【発明の効果】
【０００６】  スリットの先端はゴキブリの大きさに広がっているので、ゴキブリが容易に捕獲できるようになっている。また、各スリット片の先は円弧状になっているので、捕獲して捕獲器を持ち上げた際にゴキブリが引っかかるようになってそとに逃げられない。すかさず逆さ置きにしてお湯注入排出口からお湯を注入し、ゴキブリが息絶えたらお湯注入排出口からお湯を排出し、死骸を処分すするだけでよい。その間、殺虫剤や叩き潰された虫で床や壁を汚すこともなく、手で触ることもないので、とても始末がやさしい。
【図面の簡単な説明】
【０００７】
【図１】本発明の斜視図
【図２】本発明の使用状態を示す斜視図
【発明を実施するための形態】
【０００８】  以下、本発明の実施の形態を説明する。
円筒状の胴体と胴体の側壁面から横に伸びる持ち手から成る。胴体を立て置いた時に側壁において持ち手（１）部根元を含む周回域を除いて、上部域と下部域が蛇腹状に形成されている。天井面は、多数の小孔を設けたお湯注入排出口（４）を成す。
底面は中心から外周縁へ放射状にスリットが設けてある。
各スリット片は中心部の先端にむかって、なだらかな円弧状に膨らみ、スリット状の集合体として略球面状に形成された捕獲部（２）を成す。捕獲部の外からかぶせる捕獲部フタ（３）が備わる。
本発明は、以上のような構造である。
本発明を使用するときは、持ち手（１）を持ち、捕獲部（２）でゴキブリを捕獲する。
捕獲部フタ（３）をする。お湯注入排出口（４）を開け、湯を入れ、ゴキブリが死んだらお湯注入排出口（４）から湯を捨てる。お湯注入排出口（４）を開けゴキブリを捨てる。この一部始終において、床も壁も手も汚すことはなく、清潔に、簡単に始末がつけられる。
【符号の説明】
【０００９】１  持ち手、  ２  捕獲部、  ３  捕獲部フタ、  ４  お湯注入排出口
【図１】
2018000178.tif 000003
【図２】
2018000178.tif 000004
(57)【要約】【課題】  水田における単位面積あたりの雑草を減らす事を課題とする。【解決手段】  水田において電気的にイオン化させた用水をノビエなどの種子に与える事で活性化を抑制し、また、コナギなどの種子に対しては、活性化を促したのち、発生したコナギなどを、作付け前に取り除くことによって課題を解決する。【選択図】なし【特許請求の範囲】
【請求項１】
水田におけるイオン水生成装置を用いた除草作業において、単位面積あたりの雑草の種子を制御することを特徴とする方法
【請求項２】
ノビエなどの種子の活性化を抑制させる事を特徴とする請求項１の制御方法
【請求項３】
コナギなどの種子の活性化を促す事を特徴とする請求項１の制御方法
【発明の詳細な説明】
【技術分野】
【０００１】  本発明は、雑草の除草方法に関する
【背景技術】
【０００２】  近年の消費者における安心・安全への関心の高まりや環境負荷軽減の観点から水田における減農薬での雑草対策が大きな課題となっている。しかしながら、除草剤に取って代わる経済性の高い代替え除草方法は未だ確立されていない。
【先行技術文献】
【特許文献】
【０００３】
【特許文献１】特開２００９−２７８９６７
【特許文献２】特開２０１５−１２８４０８
【発明の概要】
【発明が解決しようとする課題】
【０００４】  水田における単位面積あたりの雑草を減らす事を課題とする。
【課題を解決するための手段】
【０００５】  本発明は鋭意検討し、上記課題を解決する方法を見出し、本発明を完成させた。
本発明は、水田においてイオン水生成装置を用いて、電気的にイオン化させた用水をノビエなどの種子に与える事で活性化を抑制し、また、コナギなどの種子に対しては、活性化を促したのち、作付け前に取り除くことによって課題を解決する。
【発明の効果】
【０００６】  本発明によれば、水田における単位面積あたりのノビエ、コナギなどの雑草の発芽可能種子の絶対数を作付けの段階で減少させることが出来る。
【図面の簡単な説明】
【０００７】
【図１】図１は、ノビエの新鮮重を示す図である。
【図２】図２は、コナギの新鮮重を示す図である。
【発明を実施するための形態】
【０００８】  従来は、ノビエなどの除草方法は、手で抜く、機械で抜く、あるいは、農薬によって抑制する方法が一般的である。しかし、昨今の生産者の高齢化を勘案すると手作業は、まず困難である。次に、手作業を省略すべく、ラジコン式小型ポートにチェーンなどを装着した、圃場内を移動可能な装置が開発されているが、苗が移植されたあとに圃場内をチェーン付ラジコンボートで移動すると、除草を行うと共に苗も一緒に引っかけて、抜いてしまったりするので得策とは言い難い。また、農薬を用いた場合は、上述のとおり環境負荷や残留農薬による健康への影響が懸念されている。この様に、水田の除草方法については、八方丸く収まる解決策は未だ見出されていない。
【０００９】  本発明は、電気的にイオン化させた用水をノビエなどの種子に与えることで、種子の活性化を抑制し除草を行う方法を取る。従って、除草作業には、多大な労力は要せず、また農薬使用の際の環境への負荷もない。
【００１０】  次に、従来のコナギへの除草対処方法としては、苗の移植後、コナギなどが発生したのち、ある程度の大きさまで生長させてから、除草剤を用いて処理を行う方法が一般的ではある。しかし、タイミングを見誤るとイネのための肥料がコナギなどに消費されることで繁殖が逆に助長させることがある。また著しく繁殖したコナギなどには、更に強力な除草剤を用いる場合があり、結果として、イネの生長不良を巻き起こす危険性もあるほか、おたまじゃくしが圃場内で大量死するなど言うまでもなく環境への負担は計り知れない。
【００１１】  一方、本発明は、電気的にイオン化させた用水をコナギなどの雑草の種子に与えることで、一旦活性化させたあと、生長したコナギなどを作付け前に取り除く方法である。一連の作業は、作付けや肥料散布が圃場に行われる前に行うため、雑草に肥料を消費される危険性が低い。また、圃場には何も植わっていな状態で、除草を行うので、成果物に対して直接的に悪影響を及ぼすことや環境への負荷もない。
【実施例１】  平成２８年５月１３日、兵庫県立農林水産技術総合センターにて実証試験を開始。作業工程は表１の通り。
【表１】
2018000180.tif 000002
実証試験の結果、ノビエの新鮮重を計測し、ノビエの重量（ｇ／ｍ２）の減少を確認した。計測結果は図１の通り。
【実施例２】
【００１２】  実施例１と同一の圃場にてコナギの新鮮重を計測し、コナギの重量（ｇ／ｍ２）の増加を確認した。計測結果は図２の通り。
【図１】
2018000180.tif 000003
【図２】
2018000180.tif 000004
(57)【要約】      （修正有）【課題】電気掃除機を使用し、簡単に、心理的に苦痛少なく害虫の捕獲する道具を提供する。【解決手段】ゴキブリが出没した時の不快感、嫌悪感は誰もが持つ感情であり、即、駆除したい。しかし、殺虫剤による駆除は人体、動物への健康被害の懸念があり、できれば控えたい。そこで掃除機による捕獲駆除が簡単にできるように使い捨てネットとした。厚紙の筒１に２本の厚紙の帯２とネット３を装着したもので、掃除機のヘッドを外し、掃除機ノズル４に被せて害虫を吸引すると、掃除機本体の紙パックに入る前にネット内に害虫が引っかかるので、筒を破棄すればよい。厚紙の帯は掃除機の吸引力で帯が引っ張られ、筒をノズルに固定させるためのもので、スイッチを切らない限りは外れない。害虫を吸引後すぐ、ティッシュ１枚吸引すると、ティッシュが蓋となるので、破棄もより安心してできる。【選択図】図２
2018000185.tif 000002
【特許請求の範囲】
【請求項１】
厚紙の筒に厚紙の帯とネットを装着、電気掃除機ヘッドを外したノズルに被せて害虫を吸引する。吸引後は厚紙の筒ごと破棄する。
【請求項２】
厚紙筒関して。厚紙の筒に装着した厚紙の帯をノズル内腔に垂らすことで、帯がネットとともに掃除機の吸引力で内側に吸引されるが、厚紙の筒がストッパーにるので、スイッチを切らない限り外れない。そのため、厚紙の内径がノズルの外径より大きければ隙間があっても外れずに吸引ができる。
【発明の詳細な説明】
【技術分野】
【０００１】  この発明は電気掃除機を使用して害虫を捕獲駆除する厚紙の筒に付けた使い捨てネットである。【０００２】  電気掃除機ノズルの外径サイズにネットの厚紙の筒のサイズに合わなくても装着でき、捕獲できる。
【背景技術】
【０００３】  ゴキブリなどの害虫が居住域に出てきたとき、一般的には殺虫剤を噴射する、新聞等で叩く、電気掃除機などで吸う、熱湯をかけるなどの手段で処分する。
【発明の概要】
【発明が解決しようとする課題】
【０００４】  動いて逃げる害虫に殺虫剤を噴射するとき、その動線周囲が殺虫剤で広範囲に汚染することとなる。生き物に有害である殺虫剤の人や愛玩動物への身体影響等を考えると居住域での使用は不安である。叩いて駆除する方法では、死骸が飛散し、バイ菌を拡散させる危険性が伴う上、害虫の死骸を直接目にするため、処理するうえでの精神的苦痛も大きい。電気掃除機での吸引捕獲は確実性が高いが、電気掃除機を使用すると紙パックに生きたまま吸引されるので、時間が経てば、復活し再度、紙パックから脱走することが予想される為、都度紙パックを処理する必要性があり、手間が掛かるし、紙パックの費用がかさむ。熱湯をかけるには場所が限られる。
そこで、この発明は、殺虫剤を使用せず、電気掃除機を利用して、害虫を気軽に、簡単に捕獲、破棄することを課題とした。
【課題を解決するための手段】
【０００５】  以上の課題を解決するために、第一発明は厚紙の帯（２）とネット（３）を装着した厚紙の筒（１）を、電気掃除機ヘッドを外したノズル（４）に被せて害虫を吸引する。吸引後は厚紙の筒（１）ごと破棄する。第二発明は厚紙の筒（１）に関して。厚紙の筒（１）に装着した厚紙の帯（２）とネット（３）をノズル（４）内腔に垂らすことで、帯がネット（３）とともに掃除機の吸引力で、内側に吸引されるので、ノズル（４）に固定ができる。そのため、厚紙の筒（１）とノズル（４）の外径サイズが合わなくても、固定ができ、害虫吸引には支障がない。
【発明の効果】
【０００６】  各家庭にある電気掃除機のノズルの大きさを選ばない使い捨てタイプのネットなので、駆除労作が簡単である。掃除機の紙パックに吸引される前にネット内に捕獲できるので、紙パックの交換の必要性がなくなる。
浴室、寝室、台所、壁、天井等、電気掃除機が使用できる環境であれば、どこにいる害虫にも使用できる。また、殺虫剤を使用しないので、人、ペットがいる環境でも安心である。捕獲した害虫をネットごと破棄するので、直接見なくてもすみ、精神的に楽である。
【図面の簡単な説明】
【図１】この発明の厚紙の筒（１）、厚紙の帯（２）、ネット（３）の立体図である。
【図２】電気掃除機ノズル（４）部分に本発明品を被せる時の立体図である。
【発明を実施するための形態】
【０００７】  以下、本発明の実施の形態を図１示し、説明する。
イ）  厚紙の筒（１）  縦４ｃｍ×横１８ｃｍで円周１７ｃｍ、厚紙の帯（２）  １ｃｍ      ×１０ｃｍ２本を準備する。
ロ）  厚紙の帯（２）先端を折り、筒の上縁に内側から引っ掛けて、上から５ｍｍのとこ      ろをホッチキスなどで固定する。２本帯は等間隔で装着する。
ハ）  ネット（３）を紙筒の内側に垂らし、ネット（３）の上部を紙の筒の外側に広げ、      ホッチキスやテープ等で固定する。
【０００８】「実施形態の効果」
この実施形態では、厚紙の帯（２）とネット（３）をノズル（４）内腔に入れ、厚紙の筒（１）をノズル（４）に被せ、電気掃除機のスイッチを入れると、厚紙の帯（２）とネット（３）が強力に吸引されるが、厚紙の筒（１）がストッパーになるので、被せるだけで、ノズルに固定される。ノズルを動かしてもスイッチを切らない限り外れない。
捕獲後スイッチを切れば簡単にノズル（４）から外れるので、厚紙の筒（１）ごとそのまま破棄ができる。（捕獲後さらに、ティッシュを一枚一緒に吸引すれば、害虫に蓋をするので、安心してノズルから外せ、そのまま破棄できる。）
厚紙の筒（１）は紙製なので、折りたため、コンパクトに収納ができる。
【符号の説明】
【００１１】  １．  厚紙の筒
２．  厚紙の帯
３．  ネット
４．  掃除機ノズル
【図１】
2018000185.tif 000003
【図２】
2018000185.tif 000004
(57)【要約】【課題】人が好む飲料にはカフェインの含まれた素材を使用していることが多い。しかし、カフェインは人体に悪影響を与える可能性があるため、カフェインが含まれていない素材を探し、それを使って人に好まれる飲料を発明することである。【解決手段】カフェインの含まれていない飲料を作るため、コーヒーの豆や紅茶や緑茶の葉を使うのではなく、カフェインがそもそも含まれていない生の空豆や、乾燥した空豆や、発酵した空豆などを使い、焙煎と粉砕の加工を施し、そこから抽出された成分によって、珈琲に似たような風味の飲料を発明した。【選択図】図１
2018000183.tif 000002
【特許請求の範囲】
【請求項１】
カフェインを含まない特徴とする生の空豆や乾燥した空豆や発酵した空豆に、焙煎と粉砕の加工を施して抽出された成分の飲料。
【発明の詳細な説明】
【技術分野】
【０００１】本発明は、カフェインが含まれない空豆を使った飲料に関するものである。
【背景技術】
【０００２】一般に世界中の人に飲用されているコーヒーや紅茶や緑茶は、人体に悪影響を及ぼす可能性のあるカフェインが含まれている。【０００３】この改善策として、カフェイン成分を取り除く方法はあるが、その際の処理に使用する化学物質は、人体に悪影響を及ぼす可能性がある。そこで、そもそもカフェインの含まれない素材を開発するか、もしくは探す。
【先行技術文献】
【特許文献】
【０００４】
【特許文献１】不明
【非特許文献】
【０００５】
【非特許文献１】なし
【発明の概要】
【発明が解決しようとする課題】
【０００６】解決しようという問題点は、人が好む飲料にはカフェインの含まれた素材を使用していることが多い。しかし、カフェインは人体に悪影響を与える可能性があるため、カフェインが含まれていない素材を探し、それを使って人に好まれる飲料を発明することである。
【課題を解決するための手段】
【０００７】カフェインがそもそも含まれていない素材を使い、人が好む味と香りがする飲料を作ることである。【０００８】そこで、コーヒーの豆や紅茶や緑茶の葉を使うのではなく、そもそもカフェインが含まれない生の空豆や、乾燥した空豆や、発酵した空豆などを使い、焙煎と製粉を施し、そこから珈琲に似たような風味の飲料を発明した。
【発明の効果】
【０００９】本発明の焙煎空豆飲料は、人体に悪い影響があるとされるカフェインは含まれておらず、また空豆に含まれる主成分がでんぷんとたんぱく質であり、人体に必要であるとされるカロテノイド、ビタミンＢ１、ビタミンＢ２、ビタミンＣ、葉酸、パントテン酸、カリウム、鉄、亜鉛、銅、植物繊維などが含まれており、大人から子供まで安心安全に飲料できるという利点がある。また、焙煎空豆飲料を作る方法は、世界中で飲用されているコーヒーの作り方とよく似ているため、同じ道具を使って本発明品が作れるという利点がある。
【図面の簡単な説明】
【００１０】
【図１】この発明の実施形態を示す説明図であるが、空豆を加熱処理（焙煎）している。（実施例１）
【図２】（実施例１）で加熱処理（焙煎）された空豆を製粉機で粉砕している。（実施例２）
【図３】（実施例２）で加工処理された空豆にお湯を注ぎ、空豆の成分を抽出した飲料の説明図である。（実施例３）
【発明を実施するための形態】
【００１１】人体に悪影響があるとされるカフェインを含まず、かつ人体に必要な成分が多く含まれた空豆を、コーヒーとほぼ同じ道具を使って、可能な限りコーヒー味に近い味にすることを実現した。
上記目的を達成するために、本発明は、（［請求項１］の構成要件）とで空豆飲料を構成している。
【実施形態の効果】
【００１２】カフェインが含まれていないので、就寝前の飲料として、あるいはカフェインが苦手な大人や子供にも飲料として適用できる。また、空豆の主成分はでんぷんとたんぱく質であり、人体に必要であるとされるカロテノイド、ビタミンＢ１、ビタミンＢ２、ビタミンＣ、葉酸、パントテン酸、カリウム、鉄、亜鉛、銅、植物繊維などが含まれているため、安心安全な飲料として適用できる。
【符号の説明】
【００１３】１．空豆  ２．空豆を焙煎する装置  ３．焙煎された空豆  ４．粉砕された焙煎空豆  ５．焙煎空豆を粉砕する装置  ６．お湯の入ったポット  ７．ペーパーフィルター  ８．ドリッパー  ９．コーヒーカップ
【図１】
2018000183.tif 000003
【図２】
2018000183.tif 000004
【図３】
2018000183.tif 000005
(57)【要約】      （修正有）【課題】従来、塩分摂取量は健康保持上、６ｇ未満がよいといわれているが、どの程度の量か具体的に分らない。塩分摂取量が、視覚的に分るようにする塩分制限摂取量確認器の提供。【解決手段】透明の塩分比較器１内に、放射状に配列した空洞２内に、３ｇから１０ｇの塩分を順番に密封して構成した。これにより、食塩の制限摂取量を視覚的に知ることができる。したがって、塩分比較器１を利用すれば、将来にわたって、健康状態を保持することができる。なお、使用しない時は、壁に掛けられ、利用上便利である。【選択図】図１
2018000187.tif 000002
【特許請求の範囲】
【請求項１】
塩分比較器を透明のガラス、または、プラスチックでドーナツ状に形成し、塩分比較器内には同形の空洞を放射状に配列し、空洞内には量別の塩分を順番に密封したことを特徴とする健康保持上の塩分制限摂取量確認器。
【発明の詳細な説明】
【技術分野】
【０００１】  本発明は、健康保持上の塩分制限摂取量確認器に関する。
【背景技術】
【０００２】  従来、塩分摂取量は健康保持上、６ｇ未満がよいといわれているが、どの程度の量か具体的に分らない。
【発明の概要】
【発明が解決しようとする課題】
【０００３】  塩分摂取量が、視覚的に分るようにすることを目的とする。
【課題を解決するための手段】
【０００４】  塩分比較器を透明のガラス、または、プラスチックでドーナツ状に形成し、塩分比較器内には同形の空洞を放射状に配列し、空洞内には３ｇから１０ｇの塩分を順番に密封したものである。
なお、塩分は３ｇから１０ｇにしたが、５ｇから１２ｇの順番にしてもよく、空洞数を増して、塩分量を順番に入れてもよい。
【発明の効果】
【０００５】  本発明は以上のように構成したので、食塩の制限摂取量を視覚的に知ることができる。
したがって、塩分比較器を利用すれば、将来にわたって、健康状態を保持することができる。
また、料理時、塩分比較器を見て、必要量を知ることができる。
例えば、２０ｇ必要の時は、塩分比較器の１０ｇを見て、倍にすれば、２０ｇとなるので、料理時に、便利で、今まで、適当にしてた分量を視覚的に決めることができる。
以下、同様に、塩分比較器を見て、必要量を決めることができる。
なお、使用しない時は、中央の丸孔を壁に掛けられ、利用上便利である。
【図面の簡単な説明】
【０００６】
【図１】  本発明の平面図
【図２】  図１の正面図
【図３】  図１の背面図
【発明を実施するための形態】
図中１は透明のガラス、またはプラスチックでドーナツ状に形成した塩分比較器、２は塩分比較器１内に、放射状に配列した同形の空洞で、該空洞２内には３ｇから１０ｇの塩分を順番に密封している。３はドーナツ状の丸孔を示す。
【符号の説明】
【０００７】  １  塩分比較器
２  空洞
３  丸孔
【図１】
2018000187.tif 000003
【図２】
2018000187.tif 000004
【図３】
2018000187.tif 000005
(57)【要約】【課題】  書見台に回動出来る様に取り付けた、エの字形の一体型頁押さえ装置を提供する。【解決手段】  エの字形の一体型頁押さえ装置の、上辺の横バー両端に鉤型の頁を押さえ部を設け、縦辺のバーは左右方向のみに振れるように縦長の薄平板で作り、下辺の横バー両端には軸穴を開けて、この軸穴に本置き台の両側面に取り付けたネジ差し込み口からネジを差し込み、この一体型頁押さえ装置が下辺の横バーを軸に回動出来る様にしたことを特徴とする書見台。【選択図】図１
2018000906.tif 000002
【特許請求の範囲】
【請求項１】
エの字形をした一体型頁押さえ装置にあって、エの字形の上辺の横バーの両端に鉤型の頁押さえ部を設け、エの字形の縦辺のバーは左右方向にのみ振れるように縦長の薄平板で作り、そしてエの字形の下辺の横バーには両端に軸穴を開けて、この軸穴に本置き台の両側面に取り付けたネジ差し込み口からネジを差し込む、これによりエの字形の一体型頁押さえ装置は下辺の横バーを軸として回動出来る様にする、かかる構造を特徴とした書見台。
【請求項２】
書見台を使わない時は、エの字形の一体型頁押さえ装置を奥へ一杯回動させて、縦バーの先の部分を本置き台の中央に設けた縦溝へ入り込ませる、これにより一体型頁押さえ装置は動けない状態になる、かかる構造を特徴とした書見台。
【発明の詳細な説明】
【技術分野】
【００１】  本発明は、書見台の頁押さえ装置に関するものである。
【背景技術】
【００２】  従来、一般の書見台の頁押さえは、書見台に対して縦向きに左右各々が独立して装着されていた。（特許文献１参照）【００３】  また頁押さえ部を天秤型スティックで作り、スティックの中心を回動軸としスティックの両端は鉤型として、これで頁を押さえる書見台もあった。
（特許文献２参照）
【先行技術文献】
【００４】
【特許文献１】  特開２０１２−２４５３１
【特許文献２】  特願２０１５−４７６７１
【発明の開示】
【発明が解決しようとする課題】
【００５】  これには、次のような問題点があった。
（イ）書見台に対して、縦向きに左右個々に装着された頁押さえでは、頁の嵩が増えると頁押さえは頁の反発力に抗しきれずに開いてしまい、頁押さえの役を果たせなかった。【００６】（ロ）また、天秤型スティックの中心を軸としてその両端で頁を押さえる方法は、頁の嵩が増えても頁の反発には対抗出来るが、本の出し入れの際にスティックが上下へ不安定に動くので本の出し入れの邪魔をした。【００７】且つ、天秤型スティックの中央部の軸部は強度的に弱く、且つ製作上も手間を要した。
本発明は、これらの問題点を解決する為になされたものである。
【課題を解決するための手段】
【００８】  エの字形の頁押さえ装置の上辺横バーの両端は鉤型として、これを頁押え部とする。【００９】  そしてエの字形の頁押さえ装置の縦バーは薄い縦長の平板で作り、左右方向にのみ振る事が出来る様にする。【０１０】  そしてエの字形の頁押さえ装置の下辺横バーの両端には軸穴を開ける。【０１１】  この下辺横バーの軸穴へ、本置き台の両側面に取り付けたネジ差し込み口から、化粧ネジ等のネジを差し込む。【０１２】  これにより、エの字形の一体型頁押え装置は下辺横バーを軸として、前後に回動出来る様にする。
【発明の効果】
【０１３】  エの字形の一体型頁押さえ装置の、上辺横バーの両端に設けた鉤型の頁押さえ部が、左右のどちらの頁も上から同圧で押さえつけるので、左右の頁は上へはあがれない。【０１４】  また縦バーの薄い縦長の平板は左右方向にのみしか振る事が出来ないので、本を読み進み左右の頁が増減して嵩に差が出ても、左右の頁押さえ部は左が上れば右は下に動いて、自動的に左右の嵩の差を調整する。【０１５】  そして下辺横バーを軸として、エの字形の頁押さえ装置は上辺横バーも縦バーも一体で回動するので、本の出し入れの際に頁押さえ部が邪魔する事はない。【０１６】  本の紙質の違い等で頁の反発力が異なる場合は、エの字形の一体型頁押さえ装置の軸ネジの締め加減で回動圧を調節する。【０１７】  この軸ネジは指先操作がし易いように、本置き台の両側面に取り付ける。【０１８】  書見台を使わない時は、エの字形の頁押さえ装置を奥へ一杯に倒して、縦バーの薄い平縦板の先端部を本置き台の中央にある縦切り溝に差し込み、エの字形の一体型頁押さえ装置を動かない様にする。
【発明を実施するための最良の形態】
【０１９】  以下、本発明の実施の形態について説明する。
（イ）エの字形の一体型頁押さえ装置（３）の上辺横バー（４）の両端は鉤型として、これを頁押さえ部（７）とする。
（ロ）次に、エの字形の一体型頁押さえ装置（３）の縦バー（５）は薄い縦長の平板で作る。
（ハ）そして、エの字形の一体型頁押さえ装置（３）の下辺横バー（６）の、両端に軸穴（８）を開ける。
（ニ）上記の上辺横バー（４）と縦バー（５）と下辺横バー（６）を樹脂成型等で一体的に作り、これをエの字形の一体型頁押さえ装置（３）とする。
（ニ）このエの字形の一体型頁押さえ装置（３）の下辺横バー（６）の軸穴（８）へ、本置き台（２）の両側面に取り付けた軸ネジ差し込み口（９）から、化粧ネジ等の軸ネジ（１０）を差し込む
（ホ）これによりエの字形の一体型頁押さえ装置（３）は、下辺横バー（６）を軸に回動可能となる。
（ヘ）尚、本置き台（２）の上面中央には縦切り溝（１１）を入れて、書見台（１）を使わない時はエの字形の一体型頁押さえ装置（３）の縦バー（５）の先端部が入り込める様にする。
【図面の簡単な説明】
【０２０】
【図１】  本発明の実施例の全体斜視図
【図２】  本発明の主要部分の分離斜視図
【符号の説明】
【０２１】  １  書見台
２  本置き台
３  エの字形の一体型頁押さえ装置
４  一体型頁押さえ装置の上辺横バー
５  一体型頁押さえ装置の縦バー
６  一体型頁押さえ装置の下辺横バー
７  頁押さえ部
８  下辺横バーの軸穴
９  本置き台の軸ネジ差し込み口
１０  軸ネジ
１１  本置き台中央部の縦切り溝
【図１】
2018000906.tif 000003
【図２】
2018000906.tif 000004
(57)【要約】【課題】音楽ゲームマンダラ王のプレイや譜面を実施する事に関する。【解決手段】９つに分かれた画面のタイミングに合わせてボタンを押し分けてゆく。【選択図】図１
2018000904.tif 000002
【特許請求の範囲】
【請求項１】
音楽ゲーム、マンダラ王。
【請求項２】
ボタンが大きく成るタイミングに合わせて押し分ける。マンダラ型等。
【請求項３】
色んな曲、譜面。初心者から上級者まで。
【請求項４】
スキン、売る、四角形。」
【請求項５】
このゲームの難易度が違う、早さが違う。
【請求項６】
マンダラ王２、ボタンの数を増やす。
【請求項７】
曲を募る、募集する。
【請求項８】
ムービーを付ける。
【請求項９】
シンセサイザーマンダラ王、Ａｕｔｏプレイ付く。
【請求項１０】
曲と譜面を作れるツール。
【請求項１１】
点数、コメント、集う。
【請求項１２】
コメント分類表ずつ表示、ＮＥＴ。
【請求項１３】
携帯アプリ、家庭用ゲーム、ゲーセン、パソコンで販売。
【請求項１４】
譜面難易度が違うずつ。
【請求項１５】
点数（コンプリート）タイミング次第点数。
【発明の詳細な説明】
【技術分野】
【０００１】本発明は、音楽ゲームマンダラ王に関する、諸々の付属発明。
【背景技術】
【０００２】近年、音楽ゲームの技術が台頭して来た。【０００３】図のＡ、Ｂ、Ｃ、Ｄを使い、音楽ゲームをプレイするゲームについて。
【発明の開示】
【発明が解決しようとする課題】
【０００４】従来では、マンダラのタイミングに合わせてプレイするゲームは無かった。【０００５】本発明は、音楽ゲームマンダラ王をプレイする仕方について、また、オプション。
【課題を解決するための手段】
【０００６】音楽ゲームマンダラ王のタイミングに合わせて押すプレイやオプションについて。
【発明を実施するための最良の形態】
【０００７】図の様な画面に合わせて、タイミング良くボタンを押し分けてゆく音楽ゲーム。
【図面の簡単な説明】
【０００８】
【図１】音楽ゲームマンダラ王のプレイ画面について。
【符号の説明】
【０００９】Ａ  １点の画面。
Ｂ  ２点の画面。
Ｃ  ３点の画面。
Ｄ  ２点の画面。
【図１】
2018000904.tif 000003
(57)【要約】【課題】  宴席等での飲酒の断り方としては、一人一人に理由を告げて口頭で断り、また断りづらい側面があり、断り切れずに飲酒してしまうケースもある。【解決手段】  型抜きした用紙（帯）であって、グラスやコップに巻いて使用し、帯本体と同時に型抜きしてある紙片にメッセージの書き込みが出来る箇所を設け、個人の意思、あるいはメッセージを表示することができるメッセージ欄付き容器用巻き帯を提供する。【選択図】図２
2018000903.tif 000002
【特許請求の範囲】
【請求項１】
型抜きした用紙（帯）であって、グラスやコップに巻いて使用し、帯本体と同時に型抜きしてある紙片にメッセージの書き込みが出来る箇所を設け、個人の意思、あるいはメッセージを表示することができるメッセージ欄付き容器用巻き帯
【発明の詳細な説明】
【技術分野】
【０００１】  本考案は、グラスやコップなどに巻き付けて個人のメッセージを発信する容器用巻き帯に関するものでる。
【背景技術】
【０００２】  従来、宴席等でのコミュニケーションの一環として酒類をお互いに酌み交わす慣習があるが、飲酒の断り方としては、口頭で断るしかなかった。一人一人に理由を告げて口頭で断り、また断ることにより角が立つなど断りづらい側面がある。
【発明の概要】
【発明が解決しようとする課題】
【０００３】  宴席等での飲酒の断り方としては、口頭で断るしかなかった。一人一人に理由を告げて口頭で断り、また断ることにより角が立つなど断りづらい側面があり、断り切れずに飲酒してしまうケースもある。
【課題を解決するための手段】
【０００４】  型抜きした用紙（帯）であって、グラスやコップに巻いて使用し、帯本体と同時に型抜きしてある紙片にメッセージの書き込みが出来る箇所を設け、個人の意思、あるいはメッセージを表示することができるメッセージ欄付き容器用巻き帯で意思を伝えるようにした。
【発明の効果】
【０００５】  この巻き帯を使うことによって柔らかく、またユーモアをもって断ることができる。飲酒の断りだけで無く、他のメッセージを書くことにより、個人の意思を伝えることが出来る。この巻き帯を使うことによって場を和ませ、メッセージ内容により、会話を広げコミュニケーションを取りやすくすることが出来る。
【図面の簡単な説明】
【０００６】
【図１】  本発明の平面図である。
【図２】  本発明の使用例（正面）である。
【図３】  本発明の使用例（背面）である。
【実施例】
【０００７】  紙片を細長くして帯状にし、一方の先端に差し込み先端部を設け、他方の先端部近傍に差し込み切込み部を設けて、かつ、この帯の上方又は下方にメッセージ欄を設け、そのメッセージ欄に当を得たメッセージを書き込み、この状態でコップなどに巻き付け、前記差し込み切込み部に差し込み先端部を差し込んで使用する。
【図１】
2018000903.tif 000003
【図２】
2018000903.tif 000004
【図３】
2018000903.tif 000005
(57)【要約】      （修正有）【課題】本の見開きを片手で操作可能な読書スタンドを提供する。【解決手段】本を台座にのせて読書するのに、見開き本の奇数、偶数ページそれぞれに、糸状のものを巻いて固定する読書スタンドにおいて、本留め糸の端部にクリップを装着して糸を片手で挟みとめること。又、本台座に本の表表紙と裏表紙を板状のバネ板に挿し込んで、本を片手で固定することを特徴とした読書スタンド。【選択図】図１
2018000909.tif 000002
【特許請求の範囲】
【請求項１】
本を台座にのせて読書するのに、見開き本の奇数、偶数ページそれぞれに、糸状のものを巻いて固定する読書スタンドにおいて、本留め糸の端部にクリップを装着して糸を片手で挟み止めることを特徴とした読書スタンド。
【請求項２】
請求項１において、本台座に本の表表紙と裏表紙を板状のバネ板に挿し込んで、本を片手で固定することを特徴とした読書スタンド。
【発明の詳細な説明】
【技術分野】
【０００１】  本発明は、読書スタンドの見開きを片手で操作を可能に関するものである。
【背景技術】
【０００２】  従来、読書スタンドの見開き部分を糸状のもので巻き付けて固定するには片手だけでの操作は困難だった。又、本台座に本を固定することを片手で簡単にできなかった。
【発明の開示】
【発明を解決しようとする課題】
【０００３】  そのために、次のような問題点があった。
見開き部分に本留め糸を巻きつけて、台座側板に糸を固定するには、片手では少し難しかった。又、本台座に本を固定するためにクリップなどで固定していた。いずれも片手だけで操作するには簡単ではなかった。本発明は以上の問題点を解決しようというものである。
【課題を解決するための手段】
【０００４】  本留め糸の端部に本留め糸クリップを装着し、台座側板上部に、そのクリップで挟むことによって本留め糸を固定する。又、表紙を留めおくには、本台座と台座側板の内側に本が収まっていればよく完璧に固定する必要がないことに着目し、表紙をバネ板に挿し込むことでき、片手で操作が可能である。
【発明の効果】
【０００５】  本発明は、糸状のものを奇数、偶数ページに巻き付けて固定する場合、その糸の端部を台座側板に固定するのに、クリップに装着した糸を、台座側板に挟み込むことで、糸の滑り留めの効果がある。糸の緊張度、すなわち、糸の長さを調整するとき、長くするにはクリップを摘まんで糸を引けばよく、短くするにはクリップの側面を台座側板に糸を挟まないように挟んで糸を引けばよく、操作は極めて簡単で片手で本留め糸を固定できる。又、表紙を留めるのに、表紙を開いた状態で表紙留めバネ板に挿し込むことで、片手で簡単に本を留め置くことの効果がある。
【図面の簡単な説明】
【０００６】
【図１】本発明の表紙留め装着斜視図
【図２】本発明の本留め糸装着斜視図
【図３】本発明の本留めクリップ斜視図
【図４】本発明の表紙留めバネ板斜視図
【図５】本発明の断面図
【図６】本発明の座椅子読書時の斜視図
【図７】本発明の仰向け読書時の斜視図
【発明を実施するための形態】
以下、本発明の実施形態を説明する。
【０００７】  本留め糸（８）の端部を本留め糸クリップ（１０）に装着する、その形態は図５に示すようにクリップの下部の穴に表から糸を通し、裏に出た糸をクリップの番の下部の表の穴から糸を通し、穴の裏側に出た糸を同様のクリップの中央近くの裏の穴から糸を差し込み表に引き出す。
【０００８】  表紙留めバネ板（９）を台座側板（２）に装着する。その形態は図５に示すように台座側板の下部に固定する。
【０００９】  本発明の表紙留めバネ板（９）と本留め糸クリップ（１０）の構成は以上になっているが、本発明を使用するに当たって、読書スタンドの全体の最良の形態を述べる。
【００１０】本発明の本体、図３、図４を読書スタンドにするため、本台座（１）、台座側板（２）、定番（１１）、支柱（１２）、腕木（１３）、釣木（１４）、等の構成とし、図６、図７の斜視図の形態となる。本台座にスライド台座（３）を挿入して読書本の大きさで、Ａ６からＡ４まで対応する。その調整はバネ付きストッパーを上下して行う。スライド台座に丸形糸縛り棒（５）を装着し本留め糸（８）を装着する。その糸は左右に移動可能である。台座側板の中央に釣木（１４）を装着する。図２に示す。釣木と腕木（１３）は回転軸（１５）と円盤ストッパー（１６）により装着する。円盤ストッパーと釣木は固定する。円盤ストッパーは本台座の垂直方向の傾きを調整するものである。そのために円盤の周囲に数個の穴を設けて、その穴から腕木の穴に円盤ストッパー付属の棒を差し込んで固定する。腕木と支柱をエルボ（１８）に差し込んで装着する。エルボにはストッパーがあり、本台座の向き、すなわち、本を横向きから上向きまで左右回転可能でストッパーで固定する。支柱は上下調整が可能でストッパーで固定する。支柱を底盤（１１）に差し込んで固定する。
【符号の説明】
【００１１】１本台座
２台座側板
３スライド台座
４糸縛り棒金物
５丸形糸縛り棒
６バネ付きストッパー
７ストッパー溝
８本留め糸
９表紙留めバネ板
１０本留め糸クリップ
１１定盤
１２支柱
１３腕木
１４釣木
１５回転軸
１６円盤型ストッパー
１７ストッパー
１８エルボ
【図１】
2018000909.tif 000003
【図２】
2018000909.tif 000004
【図３】
2018000909.tif 000005
【図４】
2018000909.tif 000006
【図５】
2018000909.tif 000007
【図６】
2018000909.tif 000008
【図７】
2018000909.tif 000009
(57)【要約】【課題】従来の角質取りは表皮の上部をこするものが多く、角質層にある硬い角質の除去というよりは表皮を削り、やり過ぎると表皮が捲れたり、出血することが多かった。結果として、使用後表皮にクリームやオイルを塗付しないとかえってガサガサになることが多かった。一部の角質取りで若干内部から搾り取る構造のものもあったが本格的な皮下に潜む不要な角質除去を絞り出せなかった。【解決手段】外刃で角質を囲い込んで、角質が内側に盛り上がった状態に、内側に設けて内刃で挟み込んで、外刃で削りか、押さえ込んで、内刃で角質を絞り出す構造を付加した結果、外刃の抱え込む機能と内刃が盛り上げた皮膚を内刃でまるで押し絞り出すような角質取りとなり、単位時間当たりの仕事量が数倍向上した。【選択図】図１
2018000885.tif 000002
【特許請求の範囲】
【請求項１】
角質層まで届くように外周の刃で表皮を抑え、内側の刃で角質を囲い込んだかたちで内刃が浮き上がった角質を絞り出せるように鋭利なとがりを設け、刃を手前に引っ張ることで外刃の作用と内刃の作用で確実に余分な角質や角栓を簡単に押し出したり、絞り出す構造を持った刃
【請求項２】
請求項１を同芯円状に外刃と内刃を設け、請求項１の機能を持つ構造の刃の角質取りの刃
【請求項３】
請求項１及び請求項２の刃を作用点にして手で保持する筒状の部分力点として、この筒に下で作用点の力を伝達する軸が回転にして、対象となる部位を捉えて、ピタッと止まる構造を持った機構に付加して、より仕事量を大きくできる構造を持つ角質取り
【発明の詳細な説明】
【技術分野】
【０００１】角質取り，角栓取り
【背景技術】
【０００２】角質取りは今までの物はかたい部位が皮膚の上にできている前提で、これを上から掻き落とす構造の物か刃でそぎ取るか、かすかに押し絞るものしか存在しない。使用後皮膚はザラザラ感が残り、通常はクリームを塗って処理していく以外に方法はない。
しかも取れにくいので繰りかえすとこすりすぎによって、かえって悪くすることが多々ある。
【発明の概要】
【０００３】単純な円筒の刃で抑えて角質を取る場合、面積が大きく、外形の刃で抑えただけでは相当量の角質を取るのに時間がかかり過ぎる。そこで外刃で抑えて、囲った角質を逃がさず内刃で一気に取り去るように２重あるいはそれ以上の内刃を設けるようにした。
【発明が解決しようとする課題】
【０００４】刃の構造について外刃を鋭利な構造を設け、内側に外刃よりわずかに低い内刃を設け、外刃で抑えた角質を内刃と両方で搾り取れようにし、仕事量が２倍以上に増大し、しかも硬い部位を確実にとらえ、とり難い硬い角質を簡単に除去できるようにした。【０００５】同心円状にカットした外刃と内刃で取れるように外刃は外にテーパ上にカットを施し、内刃は逆に内側にテーパ上のカットを施し外刃でとらえた部位が盛り上がったところ内刃で絞り出す構造を持たせることにより数段の仕事量を発揮できる構造とした。
【課題を解決するための手段】
【０００６】外刃で角質を削るだけでなく、搾り取るには内刃が外刃と同じ高さまたは内刃が外刃より高いと内刃だけが機能し、かえって狭い領域の刃になってしまう。【０００７】そこで構造を外刃と内刃で構成させるには内刃が外刃より若干低い位置関係にないと押し絞る構造にならないことが実験で判明した。
【発明の効果】
【０００８】外刃で対象とらえると内側少し抑えられて、浮き上がる傾向があり、内部の刃のテーパー逆にすることによって内刃が盛り上がった角質を押し絞り出す作用が出て、角質の除去率が数倍になる判明し、外刃に頼った今までの角質取りとは比較にならい程の効果を発揮した。
【図面の簡単な説明】
【０００９】
【図１】請求項１の半円状の外刃に内刃を付加し反対側に半円状の外刃を持った角質取りの刃  Ａ  角質取りの刃の外刃  Ｂ  内刃  Ｃ  穴  Ｄ  穴  Ｅ  側面図
【００１０】
【図２】請求項２の同心円の外刃と内刃を持った形状を持つ角質取りの刃の実施例  Ｆ  外刃  Ｇ  内刃  Ｈ  穴
【００１１】
【図３】請求項３の回転構造を持つ柄の先端部に請求項１あるいは請求項２の刃を付加した構造図  Ｋ  請求項１及び請求項２の刃  Ｌ  成形品でできた柄  Ｍ  手で保持して使用する円筒の筒  Ｎ  ストッパーで支点として機能する部分
【発明を実施するための形態】
図１及び図３の構造を持つ形態を持った角質取り
【実施例】
【００１２】図３は請求項１の刃を回転構造体に付加使用した実施例で、この刃に代わって請求項２の刃を使用すれば請求項２の実施例となる。。
【産業上の利用可能性】
【００１３】  すでに試作終了し、組み立てしやすく、仕事量も数倍まし、今までの角質取りとは比較できない効果を発揮した。【００１４】  発明の構造を持つ刃を回転構造体付加すると、無駄な力が皮膚にかかりにくくなり、一段の皮下に残った不要な角質、魚の目、タコなどの硬い物や老廃物をより掻き出せるようになった。
【図１】
2018000885.tif 000003
【図２】
2018000885.tif 000004
【図３】
2018000885.tif 000005
(57)【要約】【課題】長財布の備付カードポケットがいっぱいになり追加でカードを入れたいときに整理しながら収納できるポケットファイルを提供する。【解決手段】台紙（１）に縦向きの表面３ポケット（２）〜（４）裏面３ポケット（５）〜（７）を設けたファイルを特徴とする。【選択図】図１
2018000884.tif 000002
【特許請求の範囲】
【請求項１】
カードポケットを縦向きにし、台紙（１）に表面３枚（２）〜（４）、裏面３枚（５）〜（７）の収納できるポケットを設けた長財布用カード整理ポケットファイル。
【発明の詳細な説明】
【技術分野】
【０００１】この発明は、長財布に多数のカードを取り出しやすく整理できるカードポケットファイルに関するものである。
【背景技術】
【０００２】従来、長財布に収納できるカードポケットは１０枚から１６枚前後で横向きに入れるものが多くある。
【先行技術文献】
【特許文献】
【０００３】
【特許文献１】
【発明の概要】
【発明が解決しようとする課題】
【０００４】これは次のような欠点があった。
（イ）長財布に収納できるカードのポケット枚数が限られてしまい、そのポケット以外に      入れないといけないので、カードを取り出す際に探す時間がかかるということが多      かった。
（ロ）カードポケット以外に入れることにより、お財布に厚みがでてファスナーやボタン      などが閉じにくいということもあった。
本発明は、以上のような欠点をなくすためになされたものである。
【課題を解決するための手段】
【０００５】カードポケットを縦向きにし、台紙（１）に表面３枚（２）〜（４）、裏面３枚（５）〜（７）の収納できるポケットを設ける。
本発明は、以上の構成によりなる長財布用カード整理ポケットファイルである。
【発明の効果】
【０００６】（イ）縦向きに収納できることにより、従来よりも多くのカードを入れることができる。
（ロ）探す時間が短縮でき、取り出しやすくなる。
【図面の簡単な説明】
【０００７】
【図１】  本発明の正面図である。
【図２】  本発明の背面図である。
【発明を実施するための形態】
【０００８】以下、本発明を実施するための形態について説明する。
カードポケットの台紙（１）に縦向きのポケット、表面３ポケット（２）〜（４）を設け。同様裏面にも３ポケット（５）〜（７）を設け、両面あわせて６ポケットを設ける。
素材は透明フィルムでカード本体が見えやすい。
本発明は、以上のような構造である。
これを使用するときは、長財布の備付ポケットに入りきらないカードを整理ポケットファイルを追加で入れることによりカードを収納すればよい。
【符号の説明】
【０００９】１  台紙
２〜７  ポケット
【図１】
2018000884.tif 000003
【図２】
2018000884.tif 000004
(57)【要約】【課題】まな板を使用する時どうしても裏面がシンク台に直接触れるのでよごれてしまいます。そうすると同じ面だけを使う様になってしまいます。それではもったいないと思います。【解決手段】まな板の表面、裏面共に三角の足を付けることによりシンク台から浮かせ、片面を使用した後に洗わずにそのまま裏面を使用することができるよつ足まな板。【選択図】図２
2018000882.tif 000002
【特許請求の範囲】
【請求項１】
まな板の両面の四隅に、三角の足を設けたよつ足まな板。
【発明の詳細な説明】
【技術分野】
【０００１】本発明はまな板の表裏面が汚れないようにし、両面を一度に使用できるようにしたものです。
【背景技術】
【０００２】まな板はシンクの上で使用しているとどうしても裏面が汚れてしまいます。洗ってもきれいにならずにどうしても同じ面だけを使用してしまいます。それではもったいないと思います。
【発明の概要】
【発明が解決しようとする課題】
【０００３】まな板の裏面をシンクの台から離して汚れないようにし、両面一度に使用できるように設けたよつ足まな板。
【課題を解決するための手段】
【０００４】まな板の両面の四隅に三角の足を設け、まな板の裏面がシンクの台にふれないようにしたよつ足まな板。
【発明の効果】
【０００５】まな板の裏面がシンク台にふれていなければ、裏面も汚れていないので別の材料などを切るときに裏面を洗わずにそのまま使えます。
【図面の簡単な説明】
【０００６】
【図１】本発明の平面図
【図２】本発明の側面図
【発明を実施するための形態】
【０００７】      以下、本発明の実施の形態を説明します。
（イ）まな板本体（１）の表面、裏面の四隅（２）に三角の足（３）を設ける。
（ロ）三角の足（３）の厚みはシンク台に直接触れることがない程度の厚みを持たせる。
本発明は以上の構造です。
本発明を使用する時は表面、裏面共に三角の足（３）が付いているので、たとえば      表面を使用して材料を切り、裏面はシンク台から離れているので汚れていないので      そのまま裏面で別の材料を切ることができます。それから、まな板の本体（１）の      両面を洗えば時間の節約にもなるし、水の節約にもなります。
【符号の説明】
【０００８】  １まな板本体      ２四隅      ３三角の足
【図１】
2018000882.tif 000003
【図２】
2018000882.tif 000004